(57)【要約】  本発明はMU-MIMOの伝送方法、ユーザ装置及び基地局を提供する。該方法はユーザ装置が基地局により送信されたユーザの層標識の使用をサポートするシグナリング指示を受信し、該シグナリング指示はユーザ装置の起始層標識番号及び層数の和を含み；及び、ユーザ装置の起始層標識番号及び層数の和に基づいて、受信したリソースに対して復調を行い、リソースには同一のユーザ装置に対応するデータが連続の層標識番号を用いる、ことを含む。本発明はコードワードから層へのマッピング方式について更なる制限及び最適化を行うことができ、フィードバックのオーバーヘッド、フィードバックの正確性及びシステムのシグナリングのオーバーヘッドの折衷をよりよく得ることができる。本発明は更に他のMU-MIMOの伝送方法及びユーザ装置を提供する。該方法はユーザ装置が該ユーザ装置の位置に基づいて関連の干渉情報を提供するためのフィードバック情報を提供することを含む。
2014520431.tif 000002
【特許請求の範囲】
【請求項１】
ＭＵ−ＭＩＭＯの伝送方法であって、
ユーザ装置が、基地局が送信した、ユーザの層標識の使用をサポートするシグナリング指示を受信し、そのうち、前記シグナリング指示は、前記ユーザ装置の起始層標識番号及び層数の和を含み；及び、
前記ユーザ装置の起始層標識番号及び層数の和に基づいて、受信したリソースに対して復調を行い、そのうち、前記リソースには、同一のユーザ装置に対応するデータが連続の層標識番号を用いる、ことを含む、方法。
【請求項２】
請求項1に記載の方法であって、
前記リソースには、前記基地局がサービングするユーザ装置のデータが、前記リモートラジオヘッドがサービングするユーザ装置のデータの前又は後にある、方法。
【請求項３】
請求項2に記載の方法であって、
前記シグナリング指示は、層数の総和を更に含み、
前記ユーザ装置は、前記ユーザ装置の起始層標識番号及び層数の和、並びに前記層数の総和に基づいて、受信したリソースに対して復調を行う、方法。
【請求項４】
請求項3に記載の方法であって、
前記層数の総和は、前記基地局により、ＭＵ−ＭＩＭＯが使用する総層数に基づいて確定され、或いは、前記層数の総和は、前記基地局により、前記ユーザ装置の位置に基づいて確定される、方法。
【請求項５】
請求項4に記載の方法であって、
前記層数の総和が前記基地局により前記ユーザ装置の位置に基づいて確定される場合は、
前記ユーザ装置が前記基地局によりサービングされれば、前記層数の総和が前記ユーザ装置の層数の和であり、
前記ユーザ装置が前記リモートラジオヘッドによりサービングされれば、前記層数の総和が前記ユーザ装置の層数の和、プラス、前記基地局によりサービングされるユーザ装置の層数の和である、方法。
【請求項６】
請求項1に記載の方法であって、
受信したリソースに対して復調を行った後に、前記方法は、
前記ユーザ装置がマルチコードワード、又は、各コードワードが１個のデータストリームに対応する方式で、フィードバック情報を提供することを更に含む、方法。
【請求項７】
請求項6に記載の方法であって、
前記ユーザ装置は、前記基地局によりサービングされるユーザ装置である、方法。
【請求項８】
請求項1に記載の方法であって、
前記ユーザ装置の層数の和は、4以下である、方法。
【請求項９】
ＭＵ−ＭＩＭＯの伝送方法であって、
ユーザ装置が、前記ユーザ装置の位置に基づいてフィードバック情報を提供することを含み、前記フィードバック情報は、関連の干渉情報を提供するために用いられる、方法。
【請求項１０】
請求項9に記載の方法であって、
前記ユーザ装置が、前記ユーザ装置の位置に基づいてフィードバック情報を提供する前に、前記方法は、
前記ユーザ装置が、基地局によりサービングされるか、それとも、リモートラジオヘッドによりサービングされるかを確定することを更に含み、
前記基地局によりサービングされる時に、前記ユーザ装置が、前記基地局のサービス情報をフィードバックし、前記リモートラジオヘッドによりサービングされる時に、前記ユーザ装置が、前記基地局の干渉情報、及び、前記リモートラジオヘッドのサービス情報をフィードバックする、方法。
【請求項１１】
ＭＵ−ＭＩＭＯの伝送方法であって、
基地局が、ユーザ装置に、ユーザの層標識の使用をサポートするシグナリング指示を構成し、そのうち、前記シグナリング指示は、前記ユーザ装置の起始層標識番号及び層数の和を含み；及び、
前記ユーザ装置に前記シグナリング指示を送信し、前記ユーザ装置が前記起始層標識番号及び層数の和に基づいて受信したリソースに対して復調を行うようにさせ、そのうち、前記リソースには、同一のユーザ装置に対応するデータが連続の層標識番号を使用する、ことを含む、方法。
【請求項１２】
請求項11に記載の方法であって、
前記リソースには、前記基地局によりサービングされるユーザ装置のデータが、前記リモートラジオヘッドによりサービングされるユーザ装置のデータの前又は後にある、方法。
【請求項１３】
請求項12に記載の方法であって、
前記シグナリング指示は、層数の総和を更に含み、
前記ユーザ装置は、前記ユーザ装置の起始層標識番号及び層数の和、並びに前記層数の総和に基づいて、受信したリソースに対して復調を行う、方法。
【請求項１４】
請求項13に記載の方法であって、
前記基地局が、マルチユーザマルチアンテナが使用する総層数に基づいて前記層数の総和を確定し、又は、前記基地局が、前記ユーザ装置の位置に基づいて前記層数の総和を確定することを更に含む、方法。
【請求項１５】
請求項14に記載の方法であって、
前記基地局が、前記ユーザ装置の位置に基づいて、前記層数の総和を確定することは、
前記ユーザ装置が前記基地局によりサービングされれば、前記層数の総和が前記ユーザ装置の層数の和であると確定し、
前記ユーザ装置が前記リモートラジオヘッドによりサービングされれば、前記層数の総和が前記ユーザ装置の層数の和、プラス、前記基地局によりサービングされるユーザ装置の層数の和であると確定することを含む、方法。
【請求項１６】
ユーザ装置であって、
基地局が送信した、ユーザの層標識の使用をサポートするシグナリング指示を受信するシグナリング受信器であって、前記シグナリング指示は、前記ユーザ装置の起始層標識番号及び層数の和を含む、シグナリング受信器；及び、
前記ユーザ装置の起始層標識番号及び層数の和に基づいて、受信したリソースに対して復調を行うリソース復調器であって、前記リソースには、同一のユーザ装置に対応するデータが連続の層標識番号を使用する、リソース復調器を含む、ユーザ装置。
【請求項１７】
請求項16に記載のユーザ装置であって、
前記リソースには、前記基地局によりサービングされるユーザ装置のデータが、前記リモートラジオヘッドによりサービングされるユーザ装置のデータの前又は後ろある、ユーザ装置。
【請求項１８】
請求項16又は17に記載のユーザ装置であって、
前記シグナリング指示は、層数の総和を更に含み、
前記リソース復調器は、更に、前記ユーザ装置の起始層標識番号及び層数の和、並びに前記層数の総和に基づいて、受信したリソースに対して復調を行うために用いられる、ユーザ装置。
【請求項１９】
請求項16に記載のユーザ装置であって、
前記ユーザ装置は、情報フィードバック器を更に含み、前記情報フィードバック器は、受信したリソースに対して復調を行った後に、マルチコードワード、及び/又は、各コードワードが１個のデータストリームに対応する方式で、フィードバック情報を提供するために用いられる、ユーザ装置。
【請求項２０】
ユーザ装置であって、
前記ユーザ装置の位置に基づいて、関連の干渉情報を提供するためのフィードバック情報を提供するために用いられる干渉フィードバック器を含む、ユーザ装置。
【請求項２１】
請求項20に記載のユーザ装置であって、
前記ユーザ装置は、位置確定器を更に含み、前記位置確定器は、前記ユーザ装置が基地局によりサービングされるか、それとも、リモートラジオヘッドによりサービングされるかを確定し、
前記干渉フィードバック器は、前記ユーザ装置が前記基地局によりサービングされれば、前記基地局のサービス情報をフィードバックし、前記ユーザ装置が前記リモートラジオヘッドによりサービングされれば、前記基地局の干渉情報、及び、前記リモートラジオヘッドのサービス情報をフィードバックするために用いられる、ユーザ装置。
【請求項２２】
基地局であって、
ユーザ装置に、ユーザの層標識の使用をサポートするシグナリング指示を構成するために用いられるシグナリング構成器であって、前記シグナリング指示は、前記ユーザ装置の起始層標識番号及び層数の和を含む、シグナリング構成器；及び、
前記ユーザ装置に前記シグナリング指示を送信し、前記ユーザ装置が前記起始層標識番号及び層数の和に基づいて受信したリソースに対して復調を行うようにさせるために用いれらるシグナリング送信器であって、前記リソースには、同一のユーザ装置に対応するデータが連続の層標識番号を用いる、シグナリング送信器を含む、基地局。
【請求項２３】
請求項22に記載の基地局であって、
前記シグナリング指示は、層数の総和を更に含み、
前記基地局は、
ＭＵ−ＭＩＭＯが使用する総層数に基づいて前記層数の総和を確定し、又は、前記ユーザ装置の位置に基づいて前記層数の総和を確定するために用いられる総数確定器を更に含む、基地局。
【請求項２４】
請求項23に記載の基地局であって、
前記ユーザ装置が基地局によりサービングされるか、それとも、リモートラジオヘッドによりサービングされるかを確定するために用いられる位置確定器を更に含み、
前記総数確定器は、前記ユーザ装置が前記基地局によりサービングされれば、前記層数の総和が前記ユーザ装置の層数の和であると確定し、前記ユーザ装置が前記リモートラジオヘッドによりサービングされれば、前記層数の総和が前記ユーザ装置の層数の和、プラス、前記基地局によりサービングされるユーザ装置の層数の和であると確定するために用いられる、基地局。
【請求項２５】
コンピュータ可読プログラムであって、
ユーザ装置において前記プログラムを実行する時、前記プログラムは、コンピュータに、前記ユーザ装置において請求項1乃至10のうちの何れか１項に記載のＭＵ−ＭＩＭＯの伝送方法を実行させる、コンピュータ可読プログラム。
【請求項２６】
コンピュータ可読プログラムを記録した記録媒体であって、
前記プログラムは、コンピュータに、前記ユーザ装置において請求項1乃至10のうちの何れか１項に記載のＭＵ−ＭＩＭＯの伝送方法を実行させる、記録媒体。
【請求項２７】
コンピュータ可読プログラムであって、
基地局において前記プログラムを実行する時に、前記プログラムは、コンピュータに、前記基地局において請求項11乃至15のうちの何れか１項に記載のＭＵ−ＭＩＭＯの伝送方法を実行させる、コンピュータ可読プログラム。
【請求項２８】
コンピュータ可読プログラムを記録した記録媒体であって、
前記プログラムは、コンピュータに、前記基地局において請求項11乃至15のうちの何れか１項に記載のＭＵ−ＭＩＭＯの伝送方法を実行させる、記録媒体。
【発明の詳細な説明】
【技術分野】
【０００１】
本発明は、通信分野に関し、特に、ＭＵ−ＭＩＭＯ（MU-MIMO、Multiple  User  Multiple  Input  Multiple  Output)の伝送方法、ユーザ装置及び基地局に関する。
【背景技術】
【０００２】
3GPPのＬＥＴ（Long  Term  Evolution)では、従来の同質ネットワークがそのまま使用されており、それは、六角セルシステムからなる。システムの容量を更に向上させるために、次世代無線通信システムであるＬＴＥ−Ａ（LTE-Advanced)では、異質ネットワーク(Heterogeneous  Network)が導入されている。LTE-Aシステムは、マクロセル（Macro  Cell)、フェムトセル（Femto  Cell)、ピコセル（Pico  Cell)、リモートラジオヘッド（RRH、Remote  Radio  Head)、リレー（Relay)からなる。それは、新しい無線ノードを構成することで、システムの容量を向上させることができるだけでなく、特殊の区域におけるユーザに、より良いサービスを提供し、システムのパフォーマンスを最適化することもできる。
【０００３】
3GPP  RAN1  63会議では、一種の新しい異質シナリオがプロバイダーにより提案されている。この種の実用的な異質ネットワークは、マクロ基地局及びリモートラジオヘッドにより構成される。図1は、この種のシナリオを示す図である。そのうち、マクロ基地局101及びRRH102〜107は、同じセル標識を有し、それらの間は、光ファイバーにより接続される。RRHは、ただのＲＦユニットであり、中心処理及びスケジューリングの能力を有しない。マクロ基地局は、異質ネットワーク全体のデータを処理し、RRHに関連する情報を光ファイバーにてＲＲＨに伝送する。
【０００４】
マクロセルの基地局は、比較的高い送信パワーを有し、セル全体のカバレッジを提供する。RRHは、比較的低い送信パワーを有し、ホットスポットの部分のカバレッジを提供する。マクロ基地局及びRRHは、同じ時間周波数リソースを用いてデータを伝送することができ、この種の多重化の方式により、システムの容量を向上させることができる。一方、マクロセルのデータ伝送は、同じリソース上のRRHのデータ伝送に干渉を与えることがある。よって、干渉協調方法で干渉を更に抑え、システムのパフォーマンスを最適化する必要がある。従来のＡＢＳ(Almost  Blank  Subframe)スキームは、データ伝送の相互干渉を抑えるために用いられ得る。
【０００５】
図2は、ABS伝送スキームの例を示す図である。そのうち、Macro伝送ポイントは、1、3、5、7、9のサブフレームを空にし、RRH伝送ポイントは、Macro伝送ポイントに対応する空のサブフレームにおいて、エッジユーザの伝送を優先にスケジューリングし、他のサブフレームにおいて、中心ユーザの伝送をスケジューリングする。上述の技術により、RRHセルのユーザは、信頼性のある伝送を行うことができる。それは、セルの中心ユーザの多重化を保証することができ、従来の同質ネットワークに比べてシステムの容量を向上させることができる。しかし、RRH伝送ポイントの中心ユーザは、依然として、Macroセルの基地局からの干渉を受け、それは、RRHセルの中心ユーザの容量を下げることができる。RRH伝送ポイントのエッジユーザについて言えば、それは、リソースを自分だけで占めるので、システムは、多重化の利得を得ることができない。これより分かるように、Macro伝送ポイントからRRHセルユーザへの干渉は、システムの容量の更なる向上を制限している。
【０００６】
ＭＵ−ＭＩＭＯ（MU-MIMO、Multiple  User  Multiple  Input  Multiple  Output)技術は、空間領域の直交性を利用してユーザ間の干渉を減少させ、システムの容量を向上させることができる。それは、異質ネットワークに使用されれば、システム容量を更に向上させることができる。分布式アンテナの特徴によると、幾つかのユーザが一部のアンテナのみによりサービングされれば、ジョイント仮想MIMOの角度から見たら、これらのユーザのジョイントチャネルが縮小ランクチャネルであるため、この種のシナリオは、MU-MIMO技術を使用することに適する。
【０００７】
MU-MIMO技術は、異質ネットワークにおいて次のような特性を有し、即ち、（1)ユーザ間の干渉が不対等性を有する。なぜなら、マクロ基地局の送信パワーが比較的高く、同じリソース上のRRHユーザに干渉を与え、また、RRHの送信パワーが比較的低く、同じリソース上のMacroユーザに与える干渉が比較的小さいからである。（2)RRHユーザが同じ時間周波数リソースにてデータ伝送を行い、相互間の干渉が比較的小さい。(3)Macroセルのデータ伝送が全てのRRHユーザに干渉を与える。図3は、異質ネットワークにおける干渉のシナリオを示す図である。図からわかるように、強化MU-MIMO技術の重点は、Macro基地局からRRHユーザへの干渉を抑えることにある。
【０００８】
しかし、本発明の実現過程において、発明者は、従来技術の欠点は、異質ネットワークにおいて、分布式アンテナが仮想MIMOシステムを構成し、仮想MIMOシステムが伝送する情報が複数のユーザの情報を含む可能性があるが、今のところ、コードワードから層へのマッピング方式について一定の制限及び最適化を行っていないため、フィードバックのオーバーヘッド、フィードバックの正確性及びシステムのシグナリングのオーバーヘッドの折衷的な効果を取得することができないことにある。
【０００９】
なお、上述の技術背景に対しての紹介は、本発明の技術案を明確且つ完全に説明し、かつ、当業者がそれを理解しやすいためのみのものである。これらの案が本発明の背景技術の部分に記載されているから、上述の技術案が当業者にとって周知のものであると思われてはいけない。
【発明の概要】
【発明が解決しようとする課題】
【００１０】
本発明の実施例によれば、ＭＵ−ＭＩＭＯの伝送方法、ユーザ装置及び基地局が提供される。その目的は、コードワードから層へのマッピング方式について一定の制限及び最適化を行い、システムのパフォーマンスを向上させることにある。
【課題を解決するための手段】
【００１１】
本発明の実施例の一側面によれば、ＭＵ−ＭＩＭＯの伝送方法が提供される。前記方法は、
ユーザ装置が、基地局から送信されている、ユーザが層標識（index）を使用することをサポートするシグナリング指示を受信し、そのうち、前記シグナリング指示は、前記ユーザ装置の起始層標識番号及び層数の和を含み；及び
前記ユーザ装置の起始層標識番号及び層数の和に基づいて、受信したリソースに対して復調（demodulation）を行い、そのうち、前記リソースの中に、同一のユーザ装置に対応するデータが連続の層標識番号を使う、ことを含む。
【００１２】
本発明実施例の他の側面によれば、ＭＵ−ＭＩＭＯの伝送方法が提供される。前記方法は、
ユーザ装置が、関連の干渉情報を提供するために、前記ユーザ装置の位置に基づいてフィードバック情報を提供する、ことを含む。
【００１３】
本発明の実施例の他の側面によれば、ＭＵ−ＭＩＭＯの伝送方法が提供される。前記方法は、
基地局が、ユーザ装置に、ユーザが層標識を使用することをサポートするシグナリング指示を構成し、そのうち、前記シグナリング指示は、前記ユーザ装置の起始層標識番号及び層数の和を含み；及び
前記ユーザ装置に前記シグナリング指示を送信し、前記ユーザ装置が前記起始層標識番号及び層数の和に基づいて受信したリソースに対して復調を行うようにさせ、そのうち、前記リソースの中に、同一のユーザ装置に対応するデータが連続の層標識番号を使う、ことを含む。
【００１４】
本発明の実施例の他の側面によれば、ユーザ装置が提供され。前記ユーザ装置は、
シグナリング受信器であって、基地局により送信されている、ユーザが層標識を使用することをサポートするシグナリング指示を受信し、前記シグナリング指示は、前記ユーザ装置の起始層標識番号及び層数の和を含む、シグナリング受信器；及び
リソース復調器であって、前記ユーザ装置の起始層標識番号及び層数の和に基づいて、受信したリソースに対して復調を行い、そのうち、前記リソースの中に、同一のユーザ装置に対応するデータが連続の層標識番号を使用する、リソース復調器を含む。
【００１５】
本発明の実施例の他の側面によれば、ユーザ装置が提供される。前記ユーザ装置は、
干渉フィードバック器であって、関連の干渉情報を提供するために、前記ユーザ装置の位置に基づいてフィードバック情報提供するために用いられる、干渉フィードバック器を含む。
【００１６】
本発明の実施例の他の側面によれば、基地局が提供される。前記基地局は、
シグナリング構成器であって、ユーザ装置に、ユーザが層標識を使用することをサポートするシグナリング指示を構成するために用いられ、前記シグナリング指示は、前記ユーザ装置の起始層標識番号及び層数の和を含む、シグナリング構成器；及び
シグナリング送信器であって、前記ユーザ装置に前記シグナリング指示を送信し、前記ユーザ装置が前記起始層標識番号及び層数の和に基づいて受信したリソースに対して復調を行うようにさせ、そのうち、前記リソースの中に、同一のユーザ装置に対応するデータが連続の層標識番号を使用する、シグナリング送信器を含む。
【００１７】
本発明の実施例の他の側面によれば、コンピュータ可読プログラムが提供される。そのうち、ユーザ装置において前記プログラムを実行する時に、前記プログラムは、コンピュータに、前記ユーザ装置において前記伝送モードの構成方法を実行させる。
【００１８】
本発明の実施例の他の側面によれば、コンピュータ可読プログラムを記録した記録媒体が提供される。そのうち、前記コンピュータ可読プログラムは、コンピュータに、ユーザ装置において前記伝送モードの構成方法を実行させる。
【００１９】
本発明の実施例の他の側面によれば、コンピュータ可読プログラムが提供される。そのうち、基地局において前記プログラムを実行する時に、前記プログラムが、コンピュータに、前記基地局において前記伝送モードの構成方法を実行させる。
【００２０】
本発明の実施例の他の側面によれば、コンピュータ可読プログラムを記録した記録媒体が提供される。そのうち、前記コンピュータ可読プログラムは、コンピュータに、基地局において前記伝送モードの構成方法を実行させる。
【００２１】
本発明実施例の有益な効果は、基地局がユーザの層標識の使用をサポートするシグナリング指示を構成及び送信することで、ユーザ装置がシグナリング指示中の起始層標識番号及び層数の和に基づいて受信したリソースに対して復調を行い、これにより、コードワードから層へのマッピング方式について更なる制限及び最適化を行うことができ、フィードバックのオーバーヘッド、フィードバックの正確性及びシステムのシグナリングのオーバーヘッドの折衷をよりよく取得することができることにある。
【００２２】
後述の説明及び図面により、本発明の特定の実施形態を詳細に開示し、本発明の原理を採用し得る形態を明確にしている。理解すべきは、本発明の実施形態は、範囲上で、そのような開示によって限定されないとのことである。添付の特許請求の範囲の精神及び技術的範囲内では、本発明の実施形態は、あらゆる変更、修正及び代替によるものを含んでもよい。
【００２３】
一実施形態について説明した及び/又は示した特徴は、同じ又は類似する方式で、一つ又は複数の他の実施形態に使用し、他の実施形態中の特徴と組み合わせ、又は他の実施形態中の特徴を置換してもよい。
【００２４】
強調すべきは、用語である“包括/含む”が本文に使用される時に、特徴、装置全体、ステップ、又はアセンブリの存在を指すが、一つ又は複数の他の特徴、装置全体、ステップ、又はアセンブリの存在又は付加を排除しないことをも指すとのことである。
【図面の簡単な説明】
【００２５】
以下の図面を参照して本発明の多くの側面をより良く理解することができる。図面中の部品は、比例して描かれたものでなく、本発明の原理を示すためのみのものである。本発明の一部をより容易に示す又は説明するために、図面に対応する部分は、拡大又は縮小することがある。
【００２６】
本発明の一つの図面又は一つの実施形態に記載の要素及び特徴は、一つ又は複数の他の図面又は実施形態に示す要素及び特徴と組み合わせることができる。また、図面では、類似する符号は、幾つの図面中の対応する部品を示し、また、複数の実施形態に使用するその対応する部品を示すために用いられ得る。
【図１】異質ネットワーク中でマクロ基地局及びリモートラジオヘッドから構成されるシナリオを示す図である。
【図２】ABS伝送スキームの例を示す図である。
【図３】異質ネットワークにおける干渉シナリオを示す図である。
【図４】LTE-AシステムにおけるSU-MIMOのコードワードから層へのマッピング関係図である。
【図５】LTE-AシステムでDM-RSが各リソースブロックにおいて使用するリソースを示す図である。
【図６】本発明の実施例における伝送方法のフローチャートである。
【図７】本発明の実施例における情報を指示する時のコードワードから層へのマッピングの例を示す図である。
【図８】本発明の実施例におけるDM-RSリソースの構成図である。
【図９】本発明の実施例における情報をフィードバックする時のコードワードから層へのマッピングの例を示す図である。
【図１０】本発明の実施例における伝送方法を示す図である。
【図１１】本発明の実施例における伝送方法の他のフローチャートある。
【図１２】本発明の実施例におけるユーザ装置の構成図である。
【図１３】本発明の実施例におけるユーザ装置の他の構成図である。
【図１４】本発明の実施例におけるユーザ装置の他の構成図である。
【図１５】本発明の実施例における基地局の構成図である。
【図１６】本発明の実施例における基地局の他の構成図である。
【図１７】本発明の実施例におけるユーザ装置によるシステム構成の例を示す図である。
【図１８】本発明の実施例におけるユーザ装置による他のシステム構成の例を示す図である。
【発明を実施するための形態】
【００２７】
図面に基づく以下の説明により、本発明の前述及び他の特徴がより明確になる。以下の説明及び図面では、本発明の特定の実施形態を具体的に開示し、それは、そのうち、本発明の原理を採用し得る一部の実施形態を示す。なお、本発明は、説明した実施形態に限定されず、本発明は、添付の特許請求の範囲における全部の変更、変形及び代替によるものをも含むとのことである。
【００２８】
図4は、LTE-AのシングルユーザのＭＩＭＯ（SU-MIMO、Single  User  Multiple  Input  Multiple  Output)システム中のコードワードから層へのマッピング関係図である。図4に示すように、システムは、最多でも、2個のコードワード（CW、Code  Word)、8個の層（Layer)を有し、各コードワードは、最多でも、４個の層を含む。各コードワードについて、ユーザは、１個のチャネル品質指示（CQI、Channel  Quality  Indicator)情報、確認情報（ACK/NACK)をフィードバックする必要がある。この種のマッピング方法は、フィードバックのオーバーヘッド及びフィードバックの正確性の良好な折衷を取得することができ、システムのパフォーマンスを一定程度で最適化している。
【００２９】
しかし、異質ネットワークでは、分布式アンテナが仮想MIMOシステムを構成し、仮想MIMOシステムが伝送する情報が複数のユーザの情報を含む可能性があり、そのコードワードから層へのマッピング方式について更なる制限及び最適化を行う必要があり、これにより、フィードバックのオーバーヘッド、フィードバックの正確性及びシステムのシグナリングのオーバーヘッドの折衷をよりよく取得する。
【００３０】
また、復調参照信号（DM-RS、Demodulation  Reference  Signal)は、LTE-Aシステム中の重要な参照信号である。ユーザ装置は、DM-RSを用いてMIMO伝送層上の等価チャネルを推定し、その後、この等価チャネルに基づいてデータ情報を復調する。
【００３１】
図5は、LTE-Aシステム中でDM-RSが各リソースブロックにおいて使用するリソースを示す図である。図5に示すように、ジョイント周波数分割及びコード分割の方法で、異なる伝送層を区分し、等価チャネルを推定することができる。DM-RSへのサポートを簡略化するために、LTE-Aシステムでは、ユーザがMU-MIMOの伝送を行う時に、各ユーザが占用する層数が2以下であり、層数の和が4以下であり、最多でも4個のユーザの同時伝送をサポートするとのことが規定されている。
【００３２】
同時に、LTE-Aシステムでは、透明のMU-MIMO方式を採用することができ、言い換えると、ユーザ装置は、自分とは同じリソースを占用してデータを伝送する他のユーザ装置があるかどうかを知らない。ユーザ装置のランク（Rank)が2より大きい時に、それは、必ずシングルユーザモードで作動し、対応するランク数は、伝送の層数であり、ユーザのランクが2以下である時に、それは、シングルユーザ又はマルチユーザのモードで作動する可能性があり、それが使用する伝送層の順番号は、シグナリングにより指示される。
【００３３】
異質ネットワークでは、Macroセルが伝送するデータがRRHユーザに干渉を与えることがあり、MU-MIMO技術により、ユーザ間の干渉を減少させることができる。MU-MIMO技術を採用した後に、Macroセルは、RRHの零化（ゼロ化）空間でデータ伝送を行うことができ、よって、一部のデータストリームのみを選択することができる。
【００３４】
また、各ユーザが占用する層数及び層数の和の制限は、システム容量の更なる向上を制限することがあり、よって、強化のDM-RSの構成でサポートする必要がある。受信端がシステムの使用する層数の和を知っていれば、受信端は、先端の受信アルゴリズムを用いて、干渉を更に抑制し、システムのパフォーマンスを向上させることができる。
【００３５】
本発明の実施例は、ＭＵ−ＭＩＭＯ（MU-MIMO)の伝送方法を提供する。図6は、本発明の実施例における伝送方法のフローチャートである。図6に示すように、ユーザ装置側では、前記方法は、次のようなステップを含む。
【００３６】
ステップ601：ユーザ装置が、基地局により送信されている、ユーザの層標識の使用をサポートするシグナリング指示を受信し、該シグナリング指示は、該ユーザ装置の起始層標識番号及び層数の和を含む。
【００３７】
ステップ602：ユーザ装置が、該ユーザ装置の起始層標識番号及び層数の和に基づいて、受信したリソースに対して復調を行い、そのうち、リソースの中において、同一のユーザ装置に対応するデータが連続の層標識番号を使用する。
【００３８】
本実施例では、異質ネットワーク中の複数の伝送ポイントのアンテナが仮想MIMOを構成する。同じ時間周波数伝送リソースが複数のユーザのデータを含む可能性があり、基地局側では、これらのデータに対して、コードワードから層へのマッピングを行う必要がある。また、各ユーザがシングルユーザの伝送方式に戻る可能性があり、よって、各ユーザについては、依然として、前述のシングルユーザのコードワードから層へのマッピング方式を満足する必要があるかもしれない。
【００３９】
本実施例では、層標識がストリーム標識とも称され、層数の和がストリーム数の和とも称される。Rel.10  MU-MIMOでは、異なるユーザについて、準正交スクランブリングコードを使ってユーザを区分し、よって、各ユーザの層標識がそれぞれ独立したものであり、各ユーザが使用する層の数が層数の和と称されても良い。ユーザの層は、ジョイントして並び替えられるため、統一的に指示されてもよい。
【００４０】
本実施例では、時間周波数伝送リソースにおいて、同一のユーザ装置に対応するデータが連続の層標識番号を使用する。例えば、ユーザ装置1のデータが使用する層標識番号が10、11であり、ユーザ装置2のデータが使用する層標識番号が20、21である。よって、異なるユーザ装置が占用する層標識が相互に交差（介入）するようなことが存在しない。
【００４１】
更に、前記リソース中では、前記基地局がサービングするユーザ装置のデータが、前記リモートラジオヘッドがサービングするユーザ装置のデータの前又は後にある。即ち、Macroユーザのデータストリーム及びRRHのデータストリームのマッピング順序は、固定であり、これにより、MacroユーザとRRHユーザ層標識の相対順序が確定されており、例えば、ある部分の時間周波数リソースがMacroユーザのデータを伝送すれば、該Macroユーザのデータは、前のデータストリームを占拠する。
【００４２】
図7は、本発明の実施例における情報を指示する時のコードワードから層へのマッピングの例を示す図である。図7に示すように、MU-MIMOを行うユーザ装置は、マクロ基地局がサービングするユーザ装置UE0、RRH1がサービングするユーザ装置UE1、・・・、RRHnがサービングするユーザ装置UEnを含む。UE0のデータについて言えば、その層標識番号は連続的であり、且つ、UE0のデータは他のユーザ装置のデータの前にある。コードワードと層との間のマッピングについて言えば、前述のシングルユーザのコードワードから層へのマッピング方式を採用してもよいので、ここでは、詳しい説明を省略する。
【００４３】
本実施例では、強化MU-MIMOシステムのデータの受信を保証するために、ユーザは、シグナリングが指示するDM-RSポートに基づいて等価チャネルを推定し、DM-RSの合理的な構成は、データ復調及びシグナリングのオーバーヘッドの負荷にとってとても重要である。
【００４４】
ユーザ装置が透明のMU-MIMOを行う時に、基地局側は、ユーザ装置が使用するデータ層標識だけを指示する必要がある。透明のMU-MIMOに対応するシグナリング設計は、各ユーザがコードワードから層へのマッピングにおいて各ユーザの層標識が連続的である原則に基づいて、起始層標識番号及び該ユーザ装置が使用する層数の和によるジョイント指示を採用することができる。
【００４５】
また、ユーザ装置が不透明のMU-MIMOを行う時に、該ユーザ装置が使用する層標識、及びMU-MIMOがトータルで使用する層数を指示する必要がある。即ち、シグナリング指示には、層数の総和を更に含んでもよく、且つ、ユーザ装置は、該ユーザ装置の起始層標識番号及び層数の和、並びに層数の総和に基づいて、受信したリソースに対して復調を行う。
【００４６】
本実施例では、MU-MIMOについて、ユーザの層がジョイントしてソート（sort）されるので、統一的に指示されてよい。層数の総和は、MU-MIMO中の複数のユーザが使用する層の数であってもよい。
【００４７】
以下、実際の例を挙げて詳しい説明を行う。図8は、本発明の実施例におけるDM-RSリソースの構成図である。そのうち、Macroセルは、2個のアンテナを有し、RRH1は、2個のアンテナを有し、RRH2は、4個のアンテナを有する。MU-MIMOを行う時に、Macroユーザは、１個のデータストリームを占め、RRH1ユーザは、２個のデータストリームを占め、RRH2ユーザは、3個のデータストリームを占める。これにより、システムを一つの8アンテナの仮想MIMOシステムとして見ても良く、システムの層数の総和は、6であり、Macroユーザは、第1個のストリームを使用し、RRH1ユーザは、第2〜3個のデータストリームを使用し、RRH2ユーザは、第4〜6個のデータストリームを使用する。
【００４８】
一実施形態では、層数の総和は、基地局により、MU-MIMOが使用する総層数に基づいて確定される。Macroユーザ及びRRHユーザはともに、真の使用する層数に従って指示を行う。表1は、本発明の実施例における一つのシグナリング指示の一部の内容を示している。
【表１】
2014520431.tif 000003
【００４９】
表1に示すように、シグナリング指示は、ユーザ装置の起始層標識番号（first  layer  index)及び層数の和（used  layer  number)を含み、更に、MU-MIMOが使用する総層数（Sum  rank)を含んでも良い。
【００５０】
本実施例では、透明のMU-MIMOについて、シグナリングは、3ビット（最多でも８層）の起始層標識番号、及び、2ビットのユーザ装置が使用する層数の和の指示を含んでも良い。非透明のMU-MIMOについて、更に、3ビットの情報を用いて、MU-MIMOが使用する総層数の指示を行っても良い。この部分の情報は、干渉を推定するために用いることができ、これにより、受信端は、高級の受信機を用いてパフォーマンスを向上させることができ、例えば、干渉抑制組み合わせ（Interference  Rejection  Combination)受信機を使用しても良い。
【００５１】
本実施例では、シングルユーザが使用する層数が4より大きい時に、MU-MIMOの利得が、もう明らかでないので、各ユーザが最多でも4層を使用すると仮設することができる。これにより、好ましくは、ユーザ装置の層数の和が4以下である。具体的な実施にあたって、ユーザ装置の層数の和が4より大きければ、SU-MIMOを使用しても良い。
【００５２】
他の実施形態では、層数の総和が、基地局により、ユーザ装置の位置に基づいて確定され得る。具体的には、ユーザ装置が基地局によりサービングされる場合、層数の総和がユーザ装置の層数の和であり、ユーザ装置がリモートラジオヘッドによりサービングされる場合、層数の総和がユーザ装置の層数の和、プラス、基地局によりサービングされるユーザ装置の層数の和である。
【００５３】
本実施例では、次のような実際の干渉シナリオを考慮している。即ち、受信端のMacroユーザは、RRHから比較的少ない干渉を受けており、及び、RRHユーザは、他のRRHから比較的少ない干渉を受けている。MU-MIMOを行う時に、Macroセルユーザは、SU-MIMOユーザと見なされてもよく、他のユーザの干渉を考慮しなくてもよい。表2は、本発明の実施例における他のシグナリング指示の一部の内容を示している。
【表２】
2014520431.tif 000004
【００５４】
表2に示すように、RRH1ユーザは、Macroセルのデータ及び自分の伝送データをジョイントして、層数の和が3であるMU-MIMOと構成され、自分は、層2、3を使用してデータを伝送する。層数の総和は、自分の層数の和である2、プラス、MacroUEの層数の和でありる1で、層数の総和は、3であり、Sumrank(10)を用いて表される。RRH2ユーザは、Macroセルのデータ及び自分の伝送データをジョイントして、層数の和が4であるMU-MIMOと構成され、自分は、層4、5、6を用いる。層数の総和は、自分の層数の和である3、プラス、Macro  UEの層数の和である1で、層数の総和は4であり、Sumrank(11)を用いて表される。よって、表1に比べ、2ビットのみの情報を用いて、MU-MIMOが使用する総層数の指示を行う。
【００５５】
本実施例では、透明のMU-MIMOについて、起始層標識及びユーザ装置が使用する層数の和によるジョイント指示を使用する。不透明のMU-MIMOについて、依然として、MU-MIMOの層数の和を指示する必要がある。MU-MIMOは、MacroセルからRRHへの干渉だけを考慮しているので、某ユーザから見たMU-MIMOの層数の和は、減少し得る。Rel.10のMU-MIMOの層数の和が4以下である条件に符合すれば、2ビットだけで指示を行ってもよい。これにより、シグナリング指示のビットは、更に減少し得る。
【００５６】
以上は、例示的な説明だけであり、本発明は、これに限定されず、具体的な実施にあたって、実際の情況に応じて具体的な実施形態を確定してもよい。
【００５７】
本実施例では、ユーザ装置は、受信したリソースに対して復調を行った後に、前記方法は、更に、ユーザ装置がマルチコードワード、及び/又は、各コードワードが１個のデータストリームに対応する方式で、フィードバック情報を提供することを含む。
【００５８】
好ましくは、該ユーザ装置は、基地局によりサービングされるユーザ装置である。マルチコードワードのマッピング方式を採用してもよく、又は、各コードワードが１個のデータストリームに対応する方式を採用してもよく、又は、マルチコードワードの方式、及び、各コードワードが１個のデータストリームに対応する方式の両方を採用して、フィードバック情報を提供しても良い。これにより、フィードバックのチャネル品質情報の正確性を向上させ、従来のコードワードから層へのマッピング方式が、その対応するデータストリームのチャネル品質を正確にフィードバックすることができないとの問題を解決することができる。
【００５９】
図9は、本発明の実施例における情報をフィードバックする時のコードワードから層へのマッピングの例を示す図である。図9に示すように、マクロ基地局によりサービングされるユーザ装置UE0は、コードワード01、コードワード02、…、コードワード0Mを採用してフィードバックを行い、且つ、各コードワードが１個のデータストリームに対応する。よって、フィードバックの精度を向上させ、MU-MIMOシステムのパフォーマンスを向上させることができる。
【００６０】
上述の実施例から分かるように、基地局が送信した、ユーザが層標識を使用することをサポートするシグナリング指示を受信することにより、ユーザ装置は、シグナリング指示中の起始層標識番号及び層数の和に基づいて、受信したリソースに対して復調を行うことができる。これにより、コードワードから層へのマッピング方式について更なる制限及び最適化を行うことができ、フィードバックのオーバーヘッド、フィードバックの正確性及びシステムのシグナリングのオーバーヘッドの折衷をよりよく取得することができる。
【００６１】
本発明の実施例は、更に、ＭＵ−ＭＩＭＯの伝送方法を提供する。ユーザ装置側では、前記方法は、ユーザ装置が該ユーザ装置の位置に基づいてフィードバック情報を提供することを含み、該フィードバック情報は、関連の干渉情報を提供するために用いられる。
【００６２】
本実施例では、MU-MIMOシステムのパフォーマンスを更に向上させるために、ユーザ装置端は、MU-MIMOに、強化のフィードバックを提供することができる。これらの強化のフィードバックは、関連の干渉情報を提供し、このような関連の干渉情報は、MU-MIMOのペアのユーザにより使されるべきのＰＭＩ（Precoding  Matrix  Indicator)情報、及び、強化MU-MIMOの使用後にCQIがSU-MIMOに対する変化情報であってもよく、この種のスキームのパフォーマンスが比較的良い。或いは、強化MU-MIMOの使用後にCQIがSU-MIMOに対する変化情報であってもよく、この種のスキームは、フィードバックのオーバーヘッドが比較的小さい。
【００６３】
具体的には、ユーザ装置が該ユーザ装置の位置に基づいてフィードバック情報を提供する前に、前記方法は、更に、ユーザ装置が、基地局によりサービングされるか、それとも、リモートラジオヘッドによりサービングされるかを確定することを含む。
【００６４】
且つ、該ユーザ装置が基地局によりサービングされれば、該ユーザ装置は、基地局のサービス情報をフィードバックし、該ユーザ装置がリモートラジオヘッドによりサービングされれば、該ユーザ装置は、基地局の干渉情報、及び、リモートラジオヘッドのサービス情報をフィードバックする。
【００６５】
本実施例では、サービス情報は、PMI情報、CQI情報、変調符号化指示（MCS)情報等であっても良い。干渉情報は、Macroセルのペアのユーザにより使用されるべきのPMI情報、CQI変化情報等であってもよい。しかし、これらに限定されず、実際の情況に応じて確定することができる。
【００６６】
異質ネットワークでは、MU-MIMOのペアのユーザ間の干渉が不対等性を有する。よって、Macroセルユーザは、RRHからの干渉を殆んど受けず、MU-MIMOのための強化のフィードバック情報をフィードバックする必要がない。しかし、RRHセルユーザは、Macroセルの干渉の関連情報をフィードバックする必要があり、これにより、MU-MIMOのパフォーマンスを強化する。これらの情報は、Macroセルにより使用されるべきのPMI情報、及び、MU-MIMOの使用後にSU-MIMOに対する変化のCQI情報であってもよい。或いは、強化MU-MIMOの使用後にCQIがSU-MIMOに対する変化情報であってもよい。言い換えると、異なる伝送ポイントがサービングするユーザは、異なる強化MU-MIMOフィードバックを有する。
【００６７】
図10は、本発明の実施例における伝送方法を示す図である。好ましくは、この種のUE位置に関連する強化フィードバックの方式を示している。図10に示すように、基地局がサービングするユーザ装置UE1は、SU  PMI/CQI情報のみをフィードバックしてもよいが、RRHがサービングするユーザ装置UE2は、SU  ΡΜΙ/CQ及びMU  BCI/delta  CQI情報をフィードバックする。従来の方式に比べ、基地局によりサービングされるユーザ装置UE1は、MU  BCI/deltaCQI情報をフィードバックする必要がない。
【００６８】
これによって、この種のフィードバック方式の構成により、システムは、フィードバックのオーバーヘッド及びシステムのパフォーマンスの良好な折衷を得ることができる。具体的に、UEが伝送ポイントを選択する方法は、多種の実現形式を有し、例えば、先ず、RSRP測定又は上りリンク参照信号測定を報告し、その後、基地局がRRCシグナリングによりUEに対応する伝送ポイントを構成するなどである。
【００６９】
本発明の実施例は、更に、ＭＵ−ＭＩＭＯの伝送方法を提供する。図11は、本発明の実施例の伝送方法の他のフローチャートである。図11に示すように、基地局側では、前記方法は、次のステップを含む。
【００７０】
ステップ1101：基地局がユーザ装置に、ユーザの層標識の使用をサポートするシグナリング指示を構成し、該シグナリング指示は、該ユーザ装置の起始層標識番号及び層数の和を含む。
【００７１】
ステップ1102：基地局が該ユーザ装置にシグナリング指示を送信し、これにより、該ユーザ装置が起始層標識番号及び層数の和に基づいて受信したリソースに対して復調を行うようにさせる。そのうち、リソースの中において、同一のユーザ装置に対応するデータは、連続の層標識番号を使用する。
【００７２】
また、前記リソースでは、基地局によりサービングされるユーザ装置のデータは、リモートラジオヘッドによりサービングされるユーザ装置のデータの前又は後にある。
【００７３】
また、シグナリング指示は、さらに、層数の総和を含んでもよく、且つ、ユーザ装置は、該ユーザ装置の起始層標識番号及び層数の和、並びに層数の総和に基づいて、受信したリソースに対して復調を行う。
【００７４】
また、基地局は、マルチユーザマルチアンテナが使用する総層数に基づいて層数の総和を確定し、又は、基地局は、ユーザ装置の位置に基づいて層数の総和を確定してもよい。
【００７５】
具他的に、基地局は、ユーザ装置の位置に基づいて層数の総和を確定し、具体的には、ユーザ装置が基地局によりサービングされれば、層数の総和がユーザ装置の層数の和であると確定し、ユーザ装置がリモートラジオヘッドによりサービングされれば、層数の総和がユーザ装置の層数の和、プラス、基地局がサービングするユーザ装置の層数の和であると確定することを含む。
【００７６】
上述の実施例から分かるように、基地局がユーザの層標識の使用をサポートするシグナリング指示を構成し、また、それを該ユーザ装置を送信することにより、該ユーザ装置がシグナリング指示中の起始層標識番号及び層数の和に基づいて、受信したリソースに対して復調を行うことができる。これにより、コードワードから層へのマッピング方式について更なる制限及び最適化を行うことができ、フィードバックのオーバーヘッド、フィードバックの正確性及びシステムのシグナリングのオーバーヘッドの折衷をよりよく得ることができる。
【００７７】
本発明の実施例は、更にユーザ装置を提供する。図12は本発明の実施例のユーザ装置の構成図である。図12に示すように、前記ユーザ装置は、シグナリング受信器1201及びリソース復調器1202を含む。
【００７８】
シグナリング受信器1201は、基地局が送信した、ユーザの層標識の使用をサポートするシグナリング指示を受信するために用いられ、該シグナリング指示は、該ユーザ装置の起始層標識番号及び層数の和を含む。
【００７９】
リソース復調器1202は、該ユーザ装置の起始層標識番号及び層数の和に基づいて、受信したリソースに対して復調を行い、そのうち、前記リソースにおいて、同一のユーザ装置に対応するデータは連続の層標識番号を使用する。
【００８０】
また、前記リソースでは、前記基地局によりサービングされるユーザ装置のデータは、前記リモートラジオヘッドによりサービングされるユーザ装置のデータの前又は後にある。
【００８１】
また、該シグナリング指示は、更に、層数の総和を含んでもよく、且つ、リソース復調器1202は、更に、該ユーザ装置の起始層標識番号及び層数の和、並びに層数の総和に基づいて、受信したリソースに対して復調を行うことを含む。
【００８２】
図13は、本発明の実施例のユーザ装置の他の構成図である。図13に示すように、前記ユーザ装置は、上述のように、シグナリング受信器1201及びリソース復調器1202を含む。
【００８３】
図13に示すように、ユーザ装置は、更に、情報フィードバック器1301を含んでも良い。
【００８４】
情報フィードバック器1301は、受信したリソースに対し復調を行った後に、マルチコードワード、及び/又は、各コードワードが１個のデータストリームに対応する方式で、フィードバック情報を提供するために用いられる。
【００８５】
上述の実施例から分かるように、基地局が送信した、ユーザの層標識の使用をサポートするシグナリング指示を受信することにより、ユーザ装置はシグナリング指示中の起始層標識番号及び層数の和に基づいて、受信したリソースに対して復調を行うことができる。これによって、コードワードから層へのマッピング方式について更なる制限及び最適化を行うことができ、フィードバックのオーバーヘッド、フィードバックの正確性及びシステムのシグナリングのオーバーヘッドの折衷をよりよく取得することができる。
【００８６】
本発明の実施例は、更に、ユーザ装置を提供する。図14は、本発明の実施例のユーザ装置の他の構成図である。図14に示すように、前記ユーザ装置は、干渉フィードバック器1401を含み、干渉フィードバック器1401は、ユーザ装置の位置に基づいてフィードバック情報を提供するために用いられ、このような情報は、関連の干渉情報を提供するために用いられる。
【００８７】
また、図14に示すように、該ユーザ装置は、更に、位置確定器1402を含んでもよく、位置確定器1402は、ユーザ装置が基地局によりサービングされるか、それとも、RRHによりサービングされるかを確定するために用いられる。
【００８８】
また、干渉フィードバック器1401は、具体的に、ユーザ装置が基地局によりサービングされれば、基地局のサービス情報をフィードバックし、ユーザ装置がリモートラジオヘッドによりサービングされれば、基地局の干渉情報、及び、リモートラジオヘッドのサービス情報をフィードバックするために用いられる。
【００８９】
上述の実施例から分かるように、この種のフィードバック方式の構成により、システムは、フィードバックのオーバーヘッド及びシステムのパフォーマンスの良好な折衷をより良く得ることができる。
【００９０】
本発明の実施例は、更に、基地局を提供する。図15は、本発明の実施例の基地局の構成図である。図15に示すように、前記基地局は、シグナリング構成器1501及びシグナリング送信器1502を含む。
【００９１】
シグナリング構成器1501は、ユーザ装置に、ユーザの層標識の使用をサポートするシグナリング指示を構成するために用いられ、該シグナリング指示は、該ユーザ装置の起始層標識番号及び層数の和を含む。
【００９２】
シグナリング送信器1502は、該ユーザ装置に該シグナリング指示を送信し、これにより、該ユーザ装置が起始層標識番号及び層数の和に基づいて、受信したリソースに対して復調を行うようにさせるために用いられ、そのうち、前記リソースの中では、同一のユーザ装置に対応するデータが連続の層標識番号を使用する。
【００９３】
図16は、本発明の実施例の基地局の他の構成図である。図16に示すように、前記基地局は、上述のように、シグナリング構成器1501及びシグナリング送信器1502を含む。
【００９４】
また、該シグナリング指示は、更に、層数の総和を含んでも良い。図16に示すように、前記基地局は、更に、総数確定器1601を含んでもよい。
【００９５】
総数確定器1601は、ＭＵ−ＭＩＭＯが使用する総層数に基づいて層数の総和を確定し、又は、ユーザ装置の位置に基づいて層数の総和を確定するために用いられる。
【００９６】
図16に示すように、該基地局は、更に、位置確定器1602を含んでもよく、位置確定器1602は、ユーザ装置が基地局によりサービングされるか、それとも、リモートラジオヘッドによりサービングされるかを確定するために用いられる。
【００９７】
また、総数確定器1601は、具体的に、ユーザ装置が基地局によりサービングされれば、層数の総和がユーザ装置の層数の和であると確定し、ユーザ装置がリモートラジオヘッドによりサービングされれば、層数の総和がユーザ装置の層数の和、プラス、基地局によりサービングされるユーザ装置の層数の和であると確定するために用いられる。
【００９８】
上述の実施例から分かるように、基地局が、ユーザの層標識の使用をサポートするシグナリング指示を構成し、また、それを該ユーザ装置に送信することにより、該ユーザ装置がシグナリング指示中の起始層標識番号及び層数の和に基づいて、受信したリソースに対して復調を行うことができる。これによって、コードワードから層へのマッピング方式について更なる制限及び最適化を行うことができる。そのため、フィードバックのオーバーヘッド、フィードバックの正確性及びシステムのシグナリングのオーバーヘッドの折衷をより良く得ることができる。
【００９９】
図17は、本発明の実施例のユーザ装置1700によるシステム構成図であり、そのうち、上述のシグナリング受信器1201及びリソース復調器1202を含む。図18は、本発明の実施例のユーザ装置1800によるシステム構成図であり、そのうち、上述の干渉フィードバック器1401を含む。
【０１００】
図17、18に示すように、ユーザ装置1700、1800は、更に、中央処理器100、通信モジュール110、入力ユニット120、音声処理ユニット130、記憶器140、カメラ150、表示器160、電源170を含んでもよい。なお、図17及び図18は、例示的なものだけであり、他のタイプの構造を使用して、該構造と組み合わせ又は該構造を置換して、電気通信機能又は他の機能を実現しても良い。
【０１０１】
該中央処理器100(制御器又はコントローラとも称され、マイクロ処理器又は他の処理器装置及び/又はロジック装置を含んでもよい）は、入力を受信し、ユーザ装置の各部分及び操作を制御する。入力ユニット120は、中央処理器100に入力を提供する。該入力ユニット120は、例えば、キー又はタッチ入力装置であっても良い。カメラ150は、画像データを取得し、また、取得した図像データを中央処理器100に提供するために用いられ、このような画像データは、通常の方式で使用されてもよく、例えば、記録、伝送等の処理が行われても良い。
【０１０２】
電源170は、ユーザ装置に電力を提供するために用いられる。表示器160は、画像及び文字等の表示対象の表示を行うために用いられる。該表示器160は、例えば、LCD表示器であってもよいが、これに限定されない。
【０１０３】
記憶器140は、中央処理器100に結合される。該記憶器140は、固態型記憶器であってもよく、例えば、ROM、RAM、SIMカード等であっても良い。また、次のような記憶器、即ち、電気が切れた時にも情報を保存でき、また、情報を選択的に削除してからより多くのデータを記憶できるものであってもよく、該記憶器の例としては、EPROM等を有する。記憶器140は、更に、他のタイプの装置であっても良い。記憶器140は、バッファリング記憶器141(バッファとも称される）を含む。また、記憶器140は、応用（アプリンケーション）/機能記憶部142を含んでもよく、該応用/機能記憶部142は、応用プログラム及び機能プログラムを記憶するために用いれら、又は、中央処理器100を経由してユーザ装置の操作プロセスを実行するために用いられる。
【０１０４】
記憶器140は、データ記憶部143を更に含んでもよく、該データ記憶部143は、データ、例えば、連絡先、デジタルデータ、画像、音声及び/又はユーザ装置が使用する他の任意のデータを記憶するために用いられる。記憶器140の駆動型プログラム記憶部144は、ユーザ装置の通信機能及び/又はユーザ装置の他の機能の実行用（例えば、メッセージ伝送アプリケーション、連絡先アプリケーション等）の各種の駆動型プログラムを含む。
【０１０５】
通信モジュール110は、アンテナ111を経由して信号を受送信する送信機/受信機110である。通信モジュール（送信機/受信機）110は、中央処理器100に結合され、入力信号を提供し、及び、出力信号を受信し、これは、通常の携帯電話の場合と同じである。
【０１０６】
異なる通信技術によれば、同一のユーザ装置では、複数の通信モジュール110、例えば、セル型ネットワークモジュール、BlueTooth(登録商標)モジュール及び/又はWLANモジュール等を設置してよい。通信モジュール(送信機/受信機）110は、更に、音声処理器130を経由してスピーカー131及びマイク132に結合され、スピーカー131を経由して音声出力を提供し、また、マイク132から音声入力を受信し、これにより、通常の電気通信機能を実現できる。音声処理器130は、任意の適切なバッファ、デコーダ、増幅器等を含んでも良い。また、音声処理器130は、更に、中央処理器100に結合され、これにより、マイク132を使ってローカル機での録音を実現し、且つ、スピーカー131を使ってローカル機に記録の音声を再生することができる。
【０１０７】
本発明の実施例は、更に、コンピュータ可読プログラムを提供し、そのうち、ユーザ装置において前記プログラムを実行する時に、前記プログラムは、コンピュータに、前記ユーザ装置において上述のＭＵ−ＭＩＭＯの伝送方法を実行させる。
【０１０８】
本発明の実施例は、更に、コンピュータ可読プログラムを記録した記録媒体を提供し、そのうち、前記コンピュータ可読プログラムは、コンピュータに、ユーザ装置において上述のＭＵ−ＭＩＭＯの伝送方法を実行させる。
【０１０９】
本発明の実施例は、更に、コンピュータ可読プログラムを提供し、そのうち、基地局において前記プログラムを実行する時、前記プログラムは、コンピュータに、前記基地局において上述のＭＵ−ＭＩＭＯの伝送方法を実行させる。
【０１１０】
本発明の実施例は、更に、コンピュータ可読プログラムを記録した記録媒体を提供し、そのうち、前記コンピュータ可読プログラムは、コンピュータに、基地局において上述のＭＵ−ＭＩＭＯの伝送方法を実行させる。
【０１１１】
本発明の以上の装置及び方法は、ハードウェアにより実現されてもよく、ハードウェアとソフトウェアとの組み合わせにより実現されても良い。本発明は、また、次のようなコンピュータ可読プログラムにも関し、該プログラムは、ロジック部品により実行される時に、該ロジック部品に、上述の装置又は構成部品を実現させ、又は、該ロジック部品に、上述の各種の方法又はステップを実現させることができる。本発明は、更に、以上のプログラムを記録するため記録媒体、例えば、ハードディスク、磁気ディスク、光ディスク、DVD、flashメモリ等にも関する。
【０１１２】
以上、具体的な実施形態に基づいて本発明について説明したが、当業者が理解すべきは、これらの説明が例示的なものだけであり、本発明の保護範囲を限定するものではないとのことである。当業者は、本発明の精神及び原理に基づいて、本発明に対してあらゆる変形又は変更を行ってもよく、また、これらの変形及び変更も、本発明の範囲内に属する。
【図１】
2014520431.tif 000005
【図２】
2014520431.tif 000006
【図３】
2014520431.tif 000007
【図４】
2014520431.tif 000008
【図５】
2014520431.tif 000009
【図６】
2014520431.tif 000010
【図７】
2014520431.tif 000011
【図８】
2014520431.tif 000012
【図９】
2014520431.tif 000013
【図１０】
2014520431.tif 000014
【図１１】
2014520431.tif 000015
【図１２】
2014520431.tif 000016
【図１３】
2014520431.tif 000017
【図１４】
2014520431.tif 000018
【図１５】
2014520431.tif 000019
【図１６】
2014520431.tif 000020
【図１７】
2014520431.tif 000021
【図１８】
2014520431.tif 000022
【国際調査報告】
2014520431.tif 000023
2014520431.tif 000024
2014520431.tif 000025
2014520431.tif 000026
2014520431.tif 000027
2014520431.tif 000028